(57)【要約】      （修正有）【課題】光軸の位置を調節しつつその調節した位置に光軸を手で持つことなく保持する単眼式の検眼鏡を提供する。【解決手段】頭部に装着される装着体２に、前方に光を照射する発光部３を位置調節可能に連結機構４で連結する。連結機構４が、頭部の左右方向の中央部の装着体２に一方の端部が取り付けられるとともに他方の端部に発光部３が取り付けられるアーム５と、アーム５の一方の端部の取付を頭部の前後方向に延びる第１軸を軸に回転可能に支持しかつ回転停止位置にアーム５を保持するように行う回転支持部と、アーム５の途中の少なくとも２箇所に設けられアーム５を３次元的に屈曲可能でかつ屈曲状態を保持する自在継手７とを備え、発光部３を、頭部の左右方向の中央部を中心に左右対称の位置に動かせるとともに人の目の少なくとも上下左右に動かせ、かつ、頭部の前後方向に動かせるようにする。【選択図】図２
0003162586.tif 000002
【実用新案登録請求の範囲】
【請求項１】
人の頭部の少なくとも前面に装着される装着体に、前方に光を照射する発光部を位置調節可能に連結機構で連結した単眼式の検眼鏡であって、
前記連結機構が、前記装着体を前記頭部に装着したとき、正面から見てその頭部の左右方向の中央部の前記装着体に一方の端部が取り付けられるとともに他方の端部に前記発光部が取り付けられるアームと、前記アームの一方の端部の取付を少なくとも前記頭部の前後方向に延びる第１軸を軸に回転可能に支持しかつ回転停止位置に前記アームを保持するように行う回転支持部と、前記アームの途中の少なくとも２箇所に設けられ前記アームを３次元的に屈曲可能でかつ屈曲状態を保持する自在継手とを備え、
前記発光部を、前記装着体を前記頭部に装着したとき、正面から見て前記頭部の左右方向の中央部を中心に左右対称の位置に動かせるとともに前記人の目の近傍の少なくとも上下左右に動かせ、かつ、前記頭部の前後方向に動かせるように構成したことを特徴とする単眼式の検眼鏡。
【請求項２】
前記連結機構が、前記装着体に着脱可能に取り付けられている請求項１に記載の単眼式の検眼鏡。
【請求項３】
前記第１軸は、前記人の両目間の中央部に位置され、
前記アームを直線状に伸ばしたときの前記第１軸から前記発光部からの光の光軸までの長さは、両目の間隔が最大の人の両目の中央から一方の目の中心までの長さ以上の寸法で形成されている請求項１又は２に記載の単眼式の検眼鏡。
【請求項４】
前記発光部の光源は、ＬＥＤであり、
前記自在継手は、アルミニウム製のボールとそのボールを３次元的に回転可能に支持する合成樹脂製の受け部とからなるボールジョイントである請求項１〜３のいずれか１項に記載の単眼式の検眼鏡。
【請求項５】
前記ボールジョイントが、弾性を有する合成樹脂製の受け部で前記ボールを挟持した状態で支持してなる請求項４に記載の単眼式の検眼鏡。
【請求項６】
前記装着体は、前記人の額、こめかみ及び側頭部に装着されて耳にかけられる装着フレームである請求項１〜５のいずれか１項に記載の単眼式の検眼鏡。
【請求項７】
前記連結機構が、前記頭部の左右方向に延びる第２軸と、前記第２軸を軸にのみ回転可能に垂下されかつ回転停止位置に保持されるとともに、前記第１軸を軸にのみ前記アームの一方の端部が回転可能に支持されるように前記回転支持部が下部に設けられたボックスとを有し、前記ボックスを介して前記発光部を前記装着体に対して上方に回転させて、正面から見て前記人の目より上方に前記発光部が移動するようにした請求項１〜６のいずれか１項に記載の単眼式の検眼鏡。
【請求項８】
前記ボックスに、このボックスが垂下された状態から上方に所望の角度回転した位置までは前記発光部から光が照射可能なオン状態で、その所望の角度を超えて前記スイッチボックスが上方に回転した状態では前記発光部から光が照射されないオフ状態にするスイッチ機構を設けた請求項７に記載の単眼式の検眼鏡。
【考案の詳細な説明】
【技術分野】
【０００１】
本考案は、患者等の検査対象者の目に光を照射して眼球の内部などを検査する際等に用いられる単眼式の検眼鏡に関するものである。
【背景技術】
【０００２】
検眼鏡は、眼球の内部を検査する際に用いられるもので数種類のものが知られており、その一つとして、光を照射した眼底を倒像で観察する際に用いられる単眼式の検眼鏡が知られている（例えば、特許文献１参照。）。この検眼鏡は、検査を行う検者が自分の手で持って検眼鏡からの照射光が患者等の検査対象者の瞳孔から網膜に照射されるように用いられるもので、他の手で集光レンズを持ちつつ検者が目視で検査対象者の目を観察しながら眼底検査が行われている。
【先行技術文献】
【特許文献】
【０００３】
【特許文献１】実開平２−７４００６号公報
【考案の概要】
【考案が解決しようとする課題】
【０００４】
ところで、上述のように検眼鏡からの光によって照射された眼球の内部を検査する場合、検者の視軸と検眼鏡の光軸の位置を互いに調節して眼底検査を行うが、互いの位置の調節は主に光軸すなわち検眼鏡を動かして行うために、検眼鏡が手持ち式であると、検者が見易い位置に光軸を動かせ易い。しかし、検眼鏡を手で持つために、その手が塞がるので、他方の手で集光レンズを持っていることから両手が塞がり、検査しながら検査対象者の眼に対して強膜圧迫等の手技を施すことができなかった。
本考案が解決しようとする課題は、光軸の位置を調節しつつその調節した位置に光軸を手で持つことなく保持することにある。
【課題を解決するための手段】
【０００５】
前記課題を解決するため、本考案に係る単眼式の検眼鏡は、人の頭部の少なくとも前面に装着される装着体に、前方に光を照射する発光部を位置調節可能に連結機構で連結した単眼式の検眼鏡であって、連結機構が、装着体を頭部に装着したとき、正面から見てその頭部の左右方向の中央部の前記装着体に一方の端部が取り付けられるとともに他方の端部に発光部が取り付けられる直線状に延びるアームと、アームの一方の端部の取付を少なくとも頭部の前後方向に延びる第１軸を軸に回転可能に支持しかつ回転停止位置に前記アームを保持するように行う回転支持部と、アームの途中の少なくとも２箇所に設けられアームを３次元的に屈曲可能でかつ屈曲状態を保持する自在継手とを備え、発光部を、装着体を頭部に装着したとき、正面から見て頭部の左右方向の中央部を中心に左右対称の位置に動かせるとともに人の目の近傍の少なくとも上下左右に動かせ、かつ、頭部の前後方向に動かせるように構成したことを特徴とする。
【０００６】
このように、人の頭部に装着される装着体に発光部がアームで連結され、このアームの一方の端部が装着体に回転可能でかつ保持可能に取り付けられ、アームの途中の少なくとも２箇所に３次元的に屈曲可能でかつ屈曲状態を保持する自在継手が設けられているから、発光部を、正面から見て頭部の左右方向の中央部を中心に左右対称の位置や人の目の近傍の上下左右等に動かせるとともに頭部の前後方向に動かせるので、光軸の位置を調節することができ、かつ、調節した光軸の位置を手で持つことなく保持することができる。
【０００７】
この場合において、連結機構を、装着体に着脱可能に取り付けることができる。また、この場合において、第１軸を、人の両目間の中央部に位置し、アームを直線状に伸ばしたときの第１軸から発光部からの光の光軸までの長さを、両目の間隔が最大の人の両目の中央から一方の目の中心までの長さ以上の寸法で形成することができる。また、この場合において、発光部の光源をＬＥＤに、自在継手を、アルミニウム製のボールとそのボールを３次元的に回転可能に支持する合成樹脂製の受け部とからなるボールジョイントにすることができる。ボールジョイントを、弾性を有する合成樹脂製の受け部でボールを挟持した状態で支持することができる。また、この場合において、また、装着体を、人の額、こめかみ及び側頭部に装着されて耳にかけられる装着フレームにすることができる。
【０００８】
また、この場合において、連結機構が、頭部の左右方向に延びる第２軸と、第２軸を軸にのみ回転可能に垂下されかつ回転停止位置に保持されるとともに、第１軸を軸にのみアームの一方の端部が回転可能に支持されるように回転支持部が下部に設けられたボックスとを有し、ボックスを介して発光部を装着体に対して上方に回転させて、正面から見て人の目より上方に発光部が移動する構成とすることができる。また、ボックスに、このボックスが垂下された状態から上方に所望の角度回転した位置までは発光部から光が照射可能なオン状態で、その所望の角度を超えてスイッチボックスが上方に回転した状態では発光部から光が照射されないオフ状態にするスイッチ機構を設けることができる。所望の角度を、２０°以上にすることが好ましい。
【考案の効果】
【０００９】
本考案によれば、光軸の位置を調節しつつその調節した位置に光軸を手で持つことなく保持することができる。
【図面の簡単な説明】
【００１０】
【図１】本考案に係る一例の実施形態の単眼式の検眼鏡を示す斜視図である。
【図２】本実施形態の検眼鏡の要部を示す一部断面側面図である。なお、図２中の断面部分のハッチングを省略している。
【図３】本実施形態の検眼鏡の要部を示す正面図である。
【図４】本実施形態の検眼鏡を人の頭部に装着した後に発光部を左右対称に動かせることを示す斜視図である。
【図５】本実施形態の検眼鏡を人の頭部に装着した後に発光部を旋回できることを示す斜視図である。
【図６】本実施形態の検眼鏡を人の頭部に装着した後に発光部を上下に動かせることを示す斜視図である。
【図７】本実施形態の検眼鏡を人の頭部に装着した後に発光部を前後に動かせることを示す斜視図である。
【図８】本実施形態の検眼鏡を人の頭部に装着した後に発光部をスイッチボックスとともに上下方向に回転させられることを示す斜視図である。
【図９】本実施形態の検眼鏡と目の関係を説明するための正面図で、（ａ）は発光部を目の近傍の上方に位置決めした状態を示す図、（ｂ）は発光部を目の中心に位置決めした状態を示す図、（ｃ）は発光部を目の近傍の下方に位置決めした状態を示す図である。
【図１０】本実施形態の検眼鏡の動作可能の範囲を示した正面図である。
【図１１】本実施形態の検眼鏡と目の関係を説明するための正面図で、（ａ）は両目の間隔が最小の人の目の近傍の下方に発光部を位置決めした状態を示す図、（ｂ）は両目の間隔が平均の人の目の近傍の下方に発光部を位置決めした状態を示す図、（ｃ）は両目の間隔が最大の人の目の近傍の下方に発光部を位置決めした状態を示す図である。
【図１２】本実施形態の検眼鏡のアームを折りたたんだ状態を示す正面図である。
【図１３】本実施形態の他の一例の検眼鏡の要部を示す図で、（ａ）は正面図、（ｂ）は側面図である。
【考案を実施するための形態】
【００１１】
以下、本考案に係る単眼式の検眼鏡の実施形態を添付図面に基づいて説明する。図１〜図８に示すように、本実施形態の一例の検眼鏡１は、人の頭部１１に装着される装着体２に、光を照射する発光部３を位置調節可能に連結機構４で連結した単眼式のものである。
【００１２】
装着体２は、人の頭部１１の少なくとも前面に装着されるものであれば特に限定されず、額帯、バンド式、帽子状などの被り物等でもよいが、メガネフレームと略同じ形状の装着フレーム２０が好ましい。装着フレーム２０は、例えば、人の額、こめかみ及び側頭部１１に装着されて耳にかけられるものである。装着フレーム２０は、人の額の前面に位置されるフロント２１と、フロント２１の両側がそれぞれほぼ直角に折り曲げられた端部にヒンジ２３を介して連結され、こめかみ及び側頭部に装着されて耳にかけられるテンプル２２と、フロント２１の中央部からフロント２１に対して直交する方向で装着フレーム２０を頭部１１に装着したとき下方に延びる取付部２４に設けられ鼻筋で装着フレーム２０を支える部分である鼻あてでもあるパッド２５とを備えている。装着フレーム２０のフロント２１、テンプル２２及び取付部２４は、例えば、合成樹脂で形成されている。取付部２４には、装着フレーム２０を頭部１１に装着したとき、顔から前方方向に延び互いに間隔をあけた弾性を有する一対の支持片８７が一体的に設けられている。一対の支持片８７には、同軸上に通し穴がそれぞれ設けられている。
【００１３】
発光部３は、頭部１１の前面近傍から前方に光を照射するもので、円筒状の鏡筒３０を備えている。鏡筒３０内の一方の端部である基端部近傍には、光源としてのＬＥＤ３１が実装されたＬＥＤ基板３２及び集光レンズ３３が設けられている。鏡筒３０の他方の端部である先端部内には、投影レンズ３５が軸方向に間隔をあけて２つ設けられている。また、鏡筒３０の集光レンズ３３と投影レンズ３５との間には、絞り機構３６が設けられている。絞り機構３６は、どのように形成してもよく、例えば、鏡筒３０の外周に円筒状の絞りリング３７を回転可能に設けて、絞りリング３７を回転することで検眼鏡１の絞りが調節されるように構成されている。
【００１４】
連結機構４は、装着体２に発光部３を位置調節可能に連結するものである。連結機構４は、両端が装着フレーム２０と発光部３に取り付けられるアーム５と、アーム５の一方の端部である装着体２側の端部を回転可能でかつ回転位置に保持する回転支持部６と、アーム５の途中に設けられアーム５を３次元的に屈曲可能でかつ屈曲状態を保持する自在継手７とを備えている。アーム５は、装着フレーム２０に直接取り付けてもよいが、ボックスであるスイッチボックス８を介して装着フレーム２０に取り付けられていることが好ましい。すなわち、連結機構４は、頭部１１の左右方向に延びる第２軸と、第２軸を軸にのみ回転可能に垂下されかつ回転停止位置に保持されるスイッチボックス８とを有することが好ましい。
【００１５】
装着フレーム２０の取付部２４には、合成樹脂例えばポリアセタール製の取付板８６が固定状態で取り付けられている。取付板８６には、前方に延びる間隔をあけた一対の支持片８７が一体に設けられている。一対の支持片８７には、同軸上に通し穴がそれぞれ設けられている。スイッチボックス８は、例えば、アルミニウムで矩形箱状に形成されている。スイッチボックス８の上方の取付部２４側の角部近傍には、挿通穴が設けられている。スイッチボックス８は、一対の支持片８７の通し穴とスイッチボックス８の挿通穴とを穴合わせした状態で一対の支持片８７間に配置され、頭部１１の左右方向に延びる第２軸としての第２ピン１６を通し穴、挿通穴及び通し穴に順次通し、この第２ピン１６の先端部をナットで絞めたりかしめたりされている。これにより、スイッチボックス８は、第２ピン１６から垂下され、かつ、垂下状態から第２ピン１６を軸に上方に回転可能に支持されている。
【００１６】
スイッチボックス８の垂下状態から回転し得る角度は、特に限定されないが、発光部３を装着体２に対して上方に回転させたとき、正面から見て人の目より上方にすなわちその人が正面を見たとき視軸より上方に発光部３が移動し得る角度であることが好ましく、本実施形態では、９０°以上が好ましく、より好ましくは、９０〜１２０°である。具体的には例えば、スイッチボックス８が垂下状態から９０°回転したときに、スイッチボックス８が取付部２４や取付部２４に設けたストッパに当接してスイッチボックス８の垂下状態から回転し得る角度を９０°にするように構成してもよい。また、スイッチボックス８の幅（頭部１１の左右方向の長さ）は、一対の支持片８７の間隔と略同じ寸法で形成されている。また、スイッチボックス８を第２ピン１６を軸に回転可能で、かつ、その回転を停止させる位置に保持され得る摩擦力がスイッチボックス８と一対の支持片８７との間に作用するように第２ピン１６の先端部をナットで絞めたりかしめたりするに際に調節が行われるようになっている。
【００１７】
また、スイッチボックス８には、スイッチ機構８０が設けられている。スイッチ機構８０は、スイッチボックス８が垂下された垂下状態から上方に所望の角度回転した位置までは発光部３から光が照射可能なオン状態で、その所望の角度を超えてスイッチボックス８が上方に回転した状態では発光部３から光が照射されないオフ状態にするものである。スイッチ機構８０の構成は、特に限定されず、例えば、カム８１とレバー８３とスイッチ板８４とを備えている。
【００１８】
カム８１は、略円弧状の作動片８２を有し、スイッチボックス８内に回転可能に設けられ、回転により作動片８２がスイッチボックス８の取付部２４側の面である裏面の開口８ａから進退可能になっている。レバー８３は、略直線状に形成され、スイッチボックス８内に回転可能に設けられている。レバー８３の一端の近傍には、カム８１に接触する当接部８３ａが形成されている。また、レバー８３の他端では、リミットスイッチの作動部を押し下げている。また、レバー８３の一端とレバー８３の回転軸との間には、付勢手段である引張コイルバネ等のバネ８５の一端が取り付けられている。バネ８５の他端は、スイッチボックス８内に固定されているスイッチ板８４に取り付けられている。これにより、バネ８５の付勢力により、作動片８２がスイッチボックス８の裏面の開口８ａから突出する方向にレバー８３がカム８１を付勢するようになっている。
【００１９】
また、スイッチボックス８は、垂下状態のときには、作動片８２の先端が取付部２４（又は取付板８６）に接触して作動片８２のほとんどがスイッチボックス８内に収容され、垂下状態から第２ピン１６を軸に上方に回転させると、回転に伴って作動片８２はバネ８５の付勢力により先端が取付部２４に接触した状態のままスイッチボックス８の裏面の開口８ａから徐々に突出し、その回転角度が所望の角度になると、作動片８２の先端が取付部２４から離れるとともに作動片８２はスイッチボックス８に対して回転が停止して裏面の開口８ａから突出する長さが同じの回転停止状態になる。このため、スイッチ板８４にリミットスイッチを設けて、作動片８２が取付部２４と所望の角度のときに、発光部３から光が照射されないオフ状態にし、作動片８２が取付部２４に接触してバネ８５の付勢力に抗してカム８１が回転して作動片８２がスイッチボックス８の裏面の開口８ａから突出する長さが短くなっている状態、すなわち、スイッチボックス８が垂下状態から上方に所望の角度回転した位置までは発光部３から光が照射可能になるようにしている。その所望の角度、すなわち、スイッチの切り換え角度は、特に限定されないが、鏡筒３０の位置調節を行う際に発光部３からの光が途切れることなくつまり照射され続けるようにすることを考慮すると、５°以上、好ましくは１０°以上、より好ましく２０°以上、より一層好ましくは３０°以上、さらにより一層好ましくは４５°以上、最も好ましくは発光部３が正面から見て人の目より上方に位置される角度、例えば、本実施形態では９０°である。このように、スイッチの切り換え角度を設定する際、スイッチボックス８が垂下状態から例えば９０°回転して取付部２４や取付部２４に設けたストッパに当接しスイッチボックス８の回転が規制されるように構成した場合、スイッチボックス８がその取付部２４やストッパに当接したときにスイッチの切り替えすなわちスイッチが切り状態になるように構成してもよい。
【００２０】
また、スイッチボックス８の底面には、アーム５の一端が取り付けられている。アーム５の一端の取付は、回転支持部６によって行われ、頭部１１の前後方向に延びる第１軸である第１ピン６５を軸に回転可能に支持しかつ回転位置に保持できるならば、他の方向に回転してもよいが、アーム５が第１ピン６５を軸にのみ回転するようにすることが好ましい。回転支持部６を構成する回転支持片６１がスイッチボックス８の底面からその底面に対して直交する方向に延びて形成されている。回転支持片６１は、幅方向が装着フレーム２０を頭部１１に装着したとき、頭部１１の左右方向と平行となる平板状に形成されている。また、回転支持片６１には、穴が設けられている。この回転支持片６１にアーム５の一端が回転可能でかつ回転位置に保持されるように取り付けられている。
【００２１】
アーム５は、例えば、第１アーム５１、第２アーム５２及び第３アーム５３の３つからなり、これら３つのアーム５１、５２、５３は自在継手７としてのボールジョイント７０によりそれぞれ連結されている。すなわち、アーム５の途中にボールジョイント７０が２つ設けられている。なお、アーム５の途中に設けるボールジョイント７０の数は３つ以上設けるようにしてもよいが、図示するように２つが好ましい。また、自在継手７は、アーム５を３次元的に屈曲可能でかつ屈曲状態を保持することができれば、ボールジョイント７０に限定されず、他の構造のものを用いてもよいが、ボールジョイント７０が好ましい。
【００２２】
第１アーム５１は、合成樹脂例えばポリアセタールにより断面略矩形状の細長に形成されている。第１アーム５１の一方の端部には、第１アーム５１の長手方向と直交する方向に延びる断面凹状の凹部６２が形成されている。凹部６２は、回転支持片６１が挿入されるものである。凹部の幅つまり回転支持片６１の厚さ方向の長さは、回転支持片６１の厚さより厚い寸法、例えば若干厚い寸法で形成されている。第１アーム５１の一方の端部は、凹部６２により弾性を有し可撓可能な一対の回転基部片５１ｃとして形成されている。一対の回転基部片５１ｃには、互いに同軸上の穴がそれぞれ設けられている。一対の回転基部片５１ｃ間の凹部６２に回転支持片６１を挿入して一対の回転基部片５１ｃの穴と回転支持片６１の穴とを穴合わせした状態で、第１ピン６５をこれら３つの穴に順次通し、この第１ピン６５の先端部にナット６６を螺合させている。これにより、第１アーム５１が回転支持片６１に対して第１ピン６５を軸に回転可能に支持されるようになっている。また、第１ピン６５に対して第１アーム５１は、第１ピン６５から垂下された状態から正面から見て左右方向にそれぞれ９０°以上例えば９０°の範囲でそれぞれ回転するように形成することが好ましい。また、第１アーム５１を回転支持片６１に対して第１ピン６５を軸に回転可能で、かつ、その回転を停止するとその位置に保持され得る摩擦力が第１アーム５１の一対の回転基部片５１ｃと回転支持片６１との間に作用するように第１ピン６５とナット６６との締め付けが調節されるようになっている。
【００２３】
第１アーム５１の他方の端部には、凹部６２と略同じように形成された断面凹状の受け部７１が形成されている。第１アーム５１の他方の端部は、受け部７１により弾性を有する一対の受け部片５１ｄとして形成されている。受け部７１を形成する一対の受け部片５１ｄの互いに対向する内面には、ボール受け凹部７２がそれぞれ形成されている。ボール受け凹部７２は、図示例では、断面凹状に形成されているが、後述するボールの球面のＲと同じＲの球面状に形成してもよい。第１アーム５１は、凹部６２と受け部７１とで略２分割された２つの第１アームＡパーツ５１ａと第１アームＢパーツ５１ｂとからなる、これらパーツ５１ａ、５１ｂが例えばビス５７等のネジ部材によって着脱可能に互いに取り付けられている。
【００２４】
第２アーム５２は、例えば、断面円形の直線状に延びる棒状に形成されている。第２アーム５２の両端部には、例えば、ボールジョイント７０を構成する同一の径の球状のボール７３、７４が一体的にそれぞれ形成されている。第２アーム５２は、金属例えばアルミニウムで形成されている。第２アーム５２の一方のボール７３が第１アーム５１の一対の受け部７１のボール受け凹部７２によって挟持された状態で回転可能に支持され、ボールジョイント７０が構成されている。すなわち、第１アーム５１と第２アーム５２とがボールジョイント７０によって互いに３次元的に屈曲可能に連結されている。また、第１アーム５１に対して第２アーム５２をボール７３を軸に回転すなわち屈曲可能で、かつ、その屈曲を停止させるとその位置に保持され得る摩擦力が第１アーム５１の一対の受け部片５１ｄとボール７３との間に作用するように第１アーム５１を形成する２つのパーツ５１ａ、５１ｂのネジ部材による締め付けが調節されるようになっている。
【００２５】
第３アーム５３は、細長の平板状の第３アームＡパーツ５３ａとＬ字状の第３アームＢパーツ５３ｂとからなる。これらパーツ５３ａ、５３ｂは、弾性を有する合成樹脂例えばポリアセタールで形成され、第３アームＡパーツ５３ａの略中央部に第３アームＢパーツ５３ｂが例えばビス５８等のネジ部材により取り付けられて、第３アーム５３が形成されている。第３アーム５３の一方の端部は、第３アームＡパーツ５３ａと第３アームＢパーツ５３ｂとにより断面凹状の受け部７５が形成されている。受け部７５を形成する第３アームＡパーツ５３ａの一端と第３アームＢパーツ５３ｂの端部の互いに対向する内面には、断面凹状のボール受け凹部７６がそれぞれ形成されている。これら受け部７５及びボール受け凹部７６は、第１アーム５１の受け部７１及びボール受け部７２と略同じ形状に形成されている。これにより、第２アーム５２の他方のボール７４が第３アーム５３の受け部７５の２つのボール受け凹部７６によって挟持された状態で回転可能に支持され、ボールジョイント７０が構成されている。すなわち、第２アーム５２と第３アーム５３とがボールジョイント７０によって互いに３次元的に屈曲可能に連結されている。また、第２アーム５２に対して第３アーム５３をボール７４を軸に回転すなわち屈曲可能で、かつ、その屈曲を停止させるとその位置に保持され得る摩擦力がボール７４と第３アーム５３の第３アームＡパーツ５３ａ及び第３アームＢパーツ５３ｂとの間に作用するように第３アーム５３を形成する２つのパーツ５３ａ、５３ｂのネジ部材による締め付けが調節されるようになっている。
【００２６】
また、第３アームＡパーツ５３ａの第３アームＢパーツ５３ｂが取り付けられる側の表面の他方の端部近傍には、鏡筒３０の基端部がその表面に対して鏡筒３０の軸が直交するように例えばネジ部材により着脱可能に取り付けられている。第３アーム５３と鏡筒３０は、略Ｌ字状に形成されている。第３アーム５３の長手方向の長さ、つまり、ボール７４の中心から鏡筒３０の軸までの長さと、第１アーム５１の長手方向の長さ、つまり、第１アーム５１の回転軸つまり第１ピン６５の軸からボール７３の中心までの長さは、異なった寸法でもよいが、同じ寸法で形成されていることが好ましい。また、第１アーム５１及び第３アーム５３の長手方向の長さは、特に限定されないが、これらの長さの和が人の両目間の平均長さと同じ寸法で形成されていることが好ましい。第２アーム５２の長手方向の長さ、つまり、ボール７３、７４の軸間の長さは、第１アーム５１の長手方向の長さより短い寸法で形成されていることが好ましく、特に、アーム５を折りたたんだ状態のときに（図１２参照。）、第１アーム５１の他方の端部と第３アーム５３の一方の端部との間に後述する電源ケーブル１８が挟み込まれない寸法で形成されていることが好ましい。
【００２７】
第１アーム５１、第２アーム５２及び第３アーム５３をボールジョイント７０で連結して直線状に伸ばした全体のアーム５の長手方向の長さ、すなわち、回転支持片６１に対するアーム５の第１ピン６５の軸から鏡筒３０の軸までの長さは、人の目の中心つまり黒目の近傍の上下に鏡筒３０を位置させることができれば、特に限定されず、両目の間隔が最大の人の両目の間隔の寸法の半分の長さ以上で形成されていることが好ましく、両目の間隔が最大の人の両目の中央から一方の目の中心（黒目の真ん中）までの長さ以上でその両目の中央から一方の目じりまでの長さ以下の寸法で形成されていることが最も好ましい。
【００２８】
また、発光部３の鏡筒３０には、ＬＥＤ３１を発光させるための電力を供給する電源ケーブル１８が接続されている。電源ケーブル１８は、スイッチボックス８を介して装着フレーム２０のフロント２１からテンプル２２に沿って配線されており、スイッチボックス８内のリミットスイッチにより鏡筒３０への電力の供給が制御されている。電源ケーブル１８は、テンプル２２の先端部近傍からさらに延びて電力の供給源に接続されている。供給源には、電力の供給のＯＮ・ＯＦＦを切り替える電源スイッチが設けられている。
【００２９】
さて、この検眼鏡１を用いて眼底の倒像検査を行うには、まず、装着フレーム２０をメガネのように頭部１１にかけて装着する。装着フレーム２０の装着後、電源スイッチを切り替えて電力が発光部３に供給されるようにする。これにより、ＬＥＤ３１を光源として鏡筒３０から光が照射されるので、照射光が患者等の検査対象者の瞳孔から眼底すなわち網膜に照射されるように鏡筒３０の位置すなわち光源の位置を調節する。鏡筒３０の位置を調節した後、片手で集光レンズを持ちつつ検者が目視で検査対象者の目を観察しながら眼底検査が行われる。このとき、検者が見易い位置に鏡筒３０を位置決めした後には、鏡筒３０はその位置に保持されるから検眼鏡１を手で持つ必要がない。このため、集光レンズを持たない片手が自由になるので、その手で検査対象者に強膜圧迫等の手技を施すことができる。
【００３０】
鏡筒３０の位置調節は、光軸と検者の視軸とは適切に近接することが望ましく、通常は、正面から見て目の近傍の下方に鏡筒３０がくるようにする。この鏡筒３０の位置調節は、鏡筒３０を手で掴みながら動かして行う。このとき、鏡筒３０は、装着フレーム２０にアーム５を介して連結されており、このアーム５の一端部が装着フレーム２０（実際にはスイッチボックス８）に対して第１ピン６５を軸に回転し、かつ、アーム５の途中に３次元的に屈曲可能なボールジョイント７０が２つ設けられている。このように、鏡筒３０は、第１ピン６５及び２つのボールジョイント７０の３つの軸で装着フレーム２０に対して屈曲可能なアーム５に連結されているので、例えば、図９、図６及び図１０に示すように、目の近傍の上下や曲線で囲った範囲内の所望の位置に容易に位置決めでき、かつ、微調節を行える。その結果、眼底検査を行う場合に、通常、検者の目の近傍の下方に鏡筒３０を位置決めし易く、眼底検査がし易くなる。
【００３１】
また、鏡筒３０を検者の目の近傍の上方や横に位置決めした状態でも眼底検査を行えるので、光の照射方向を変えてつまりいろいろな光の照射角度で眼底検査を行うことができる。この場合、鏡筒３０を検者の目の近傍の上方に位置させることで、その目の左右及び下方の視野は発光部３によって妨げられない。このため、眼底検査を行っている最中でも例えば机の上の紙にペン等により記入を行えるので、眼底検査を迅速に行える。
【００３２】
スイッチボックス８に対するアーム５つまり第１アーム５１の位置は、スイッチボックス８の回転支持片６１と第１アーム５１の一対の回転基部片５１ｃとの間に生じる摩擦力により保持される。ところで、金属と金属との間に生じる摩擦力により一方の金属に対して他方の金属の位置を保持する場合、ネジ部材による締め付けを利用したものが知られている。この場合、一方の金属に対して他方の金属の位置を変えるには、ネジ部材による締め付けをゆるめて他方の金属の位置を変えてからネジ部材による締め付けを行うので、位置を調節する毎にネジ部材によるゆるめと締め付けを行なわなければならず、面倒であるばかりか、迅速に眼底検査を行えなかった。これに対して、本実施形態ではアルミニウム製の回転支持片６１と弾性を有する合成樹脂製の回転基部片５１ｃとの摩擦力に第１アーム５１の位置を保持していることから、このままの状態で回転支持片６１に対して回転基部片５１ｃが回転するように第１アーム５１に力を作用させると、回転基部片５１ｃが弾性力に抗してたわみ、第１アーム５１が第１ピン６５を軸に回転する。この回転を停止すると、回転基部片５１ｃはその弾性力によりそのたわみがなくなり、回転支持片６１と回転基部片５１ｃの摩擦力により回転支持片６１に対して回転基部片５１ｃつまり第１アーム５１がその位置に保持される。これにより、回転支持片６１と回転基部片５１ｃとの間の摩擦力を変えることなく回転支持片６１に対して第１アーム５１を回転させることができるとともにその位置に保持できる。
【００３３】
同様に、２つのボールジョイント７０においても、ボール７３、７４がアルミニウム製で、受け部７１、７５を形成する受け部片５１ｄ、第３アームＡパーツ５３ａ及び第３アームＢパーツ５３ｂがそれぞれ弾性を有する合成樹脂で形成されているので、第１アーム５１に対して第２アーム５２を、及び、第２アーム５２に対して第３アーム５３をそれぞれ摩擦力を変えることなく回転させられ、かつ、その停止位置に保持することができる。よって、装着フレーム２０に対して鏡筒３０を移動させる作業だけで、鏡筒３０の位置を変えられるので、鏡筒３０の位置調節が容易であり、迅速に眼底検査を行える。
【００３４】
また、第１ピン６５の軸が頭部１１の左右方向の中央部に位置されているので、頭部１１の左右方向の中央部を中心に左右対称の位置に鏡筒３０を位置させることができる。このため、人には利き目が左右どちらか一方で人によって異なるが、左右対称の位置に鏡筒３０を位置させることができるので、利き目が違う人でも同じように眼底検査を行うことができる（図４参照。）。
【００３５】
また、人の目の間隔は一定でなく個人差があるが、アーム５の長さが、両目の間隔が最大の人の両目の中央から一方の目の中心（瞳孔中心）までの長さ以上の寸法で形成されていることで、目の間隔が最小の人でも最大の人でも、図１１に示すように、目の近傍の下方に鏡筒３０を略同じ状態で位置決めすることができる。また、アーム５の途中にボールジョイント７０が２つ設けられているから、図７に示すように、鏡筒３０を略軸方向である略光軸方向に移動させることができる。さらに、第２アーム５２と第３アーム５３とがボールジョイント７０で連結されていることで、図５に示すように、鏡筒３０を旋回することができ、鏡筒３０の位置の調節範囲がさらに広がり、眼底検査等を行い易い。したがって、本実施形態の検眼鏡１は、鏡筒３０を前後上下左右に移動できるとともに旋回できるので、鏡筒３０つまり光軸の調節の自由度が高い、すなわち、検者が見やすい位置に光軸を自由に動かせられる。
【００３６】
また、発光部３は、ＬＥＤ３１を光源とするから軽量で小型化になるので、発光部３を取り付ける装着体２としてメガネフレームと略同じ形状の装着フレーム２０を用いることができる。このため、検眼鏡１を頭部１１に簡単に装着することができ、かつ、頭部１１に装着しておいても軽量であるので、長時間使用しても首等が疲れ難く疲労感が少ない。第１アーム５１及び第３アーム５３が合成樹脂で、２つのボール７３、７４を含む第２アーム５２がアルミニウムでそれぞれ形成されていることで、さらに軽量化を図れる。その結果、検眼鏡１全体の重さを例えば６０ｇぐらいにできるので、さらに疲労感を少なくできる。
【００３７】
また、検眼鏡１を使用した後にすぐに使用しないときには、例えば、第１アーム５１を掴み、第２ピン１６を軸に発光部３、アーム５及びスイッチボックス８を一体として上方に回転させるすなわち発光部３を跳ね上げて、正面から見て人の目より上方に発光部３が位置されるようにする（図８参照。）。これにより、検者の視野が広がるので、検査対象者などとの会話や説明、カルテなどへの記入等を検眼鏡１が邪魔になることなく行える。発光部３を跳ね上げた状態から検眼鏡１を使用する場合には、跳ね上げた発光部３を先ほどとは反対方向つまり下方に第２ピン１６を軸に回転させて（下ろして）元の位置である垂下状態にすることにより検眼鏡１が使用可能な状態になる。したがって、検眼鏡１を使用しないときには、跳ね上げて人の目より上方に発光部３を位置させることができるから、検眼鏡１を頭部１１に装着したまま発光部３が邪魔になることなく作業等を行えるので便利である。
【００３８】
また、第１アーム５１を掴んで発光部３の跳ね上げ及び下ろしを行うと、第１アーム５１がスイッチボックス８に対して第１ピン６５を軸にのみ回転するので、発光部３を跳ね上げてから下ろした発光部３つまり鏡筒３０の目に対する位置は跳ね上げ前と同じ位置となる。このため、眼底検査を行って検眼鏡１を跳ね上げてから別の検査対象者の眼底検査を行うために下ろすと、検者の視軸に対する光軸の位置が跳ね上げ前と同じであるから、改めて検者の視軸に対する検眼鏡１の光軸の位置を調節する必要がないので、以降の眼底検査を迅速に行える。
【００３９】
また、スイッチボックス８には、検眼鏡１を跳ね上げ下ろすことで、発光部３から光が照射可能なオン状態と発光部３から光が照射されないオフ状態とに切り替わるスイッチ機構８０が設けられているので、検眼鏡１を使用しないときに、検眼鏡１を跳ね上げるだけでオフ状態にすることができるので、電力の無駄を図れるとともに、電源スイッチの切り替え作業が不要である。また、スイッチ機構８０によるオンオフの切り替えが、第２ピン１６を軸に発光部３を回転させる途中垂下状態から上方に５°以上例えば３０°、４５°又は９０°回転した位置で行うようにすることで、鏡筒３０をその略軸方向に移動して鏡筒３０の位置調節を行う際には、光が途切れることなく行える。すなわち、スイッチボックス８が第２ピン１６を軸に垂下状態からわずかでも上方に回転したときに光の照射が行われないオフ状態になるようにすると、鏡筒３０をその略軸方向に移動させて鏡筒３０の位置調節を行う際に、スイッチボックス８が第２ピン１６を軸に垂下状態から上方に回転することがある。この場合、光が照射されなくなると、光の照射位置がわからず鏡筒３０の位置調節を行い難くなることがあるからである。また、検眼鏡１を使用中に誤って発光部３に手が触れて発光部３が第２ピン１６を軸に回転した場合でも光が照射されなくなり、検査が中断したり検査をはじめからやり直す場合があるが、本実施形態の検眼鏡１ではその場合にも光が照射されなくなることがない。
【００４０】
また、装着フレーム２０をメガネフレームと同様に両テンプル２２をヒンジ２３を介してフロント２１側に折りたたみ、かつ、アーム５を図１２に示すように折りたたむことで、検眼鏡１は収納性がよく、かつ、収納するケースの小型化を図れるとともに持ち運びが容易である。また、図１０に示すように、鏡筒３０を曲線で囲った範囲内の所望の位置に位置決めできるので、本実施形態の検眼鏡１は、眼底検査に限定されず、他の検査や患部などの観察等に使用することが可能であるので、汎用性が高いものである。
【００４１】
図１３は、本実施形態の検眼鏡の他の一例を示す図である。この検眼鏡１００の前記の検眼鏡１と異なる点は、ボールジョイント７０の構成とこのボールジョイント７０の構成によるアーム５の形状であり、その他の構成は前記の検眼鏡１と同じである。すなわち、第１アーム１５１の一方の端部の形状及び第３アーム１５３の他方の端部の形状は、前記の第１アーム５１及び第３アーム５３と同じであるが、第１アーム１５１の他方の端部及び第３アーム１５３の一方の端部には、それぞれアルミニウム製のボール１７３、１７４が連結部を介して連結されている。
【００４２】
第２アーム１５２は、細長の平板状の第２アームＡパーツと第２アームＢパーツとの弾性を有する合成樹脂例えばポリアセタール製の２つのパーツからなり、これら２つのパーツを例えばネジ部材により取り付けることで形成されている。第２アーム１５２の両端部には、第２アームＡパーツと第２アームＢパーツとにより第２アーム１５２の長手方向と直交する方向に延びる断面凹状の受け部１７１、１７５がそれぞれ形成されている。これら各受け部１７１、１７５を形成する第３アームＡパーツと第３アームＢパーツの両端の互いに対向する内面には、ボール受け凹部１７２、１７６がそれぞれ形成されている。これにより、第１アーム１５１の他方の端部及び第３アーム１５３の一方の端部のボール１７３、１７４がそれぞれ第３アーム１５３の両端の受け部１７１、１７５の各２つのボール受け凹部１７２、１７６によって挟持されてそれぞれ３次元的に回転可能に支持されている。すなわち、第１アーム１５１と第２アーム１５２及び第２アーム１５２と第３アーム１５３とが各ボールジョイント７０によって互いに３次元的に屈曲可能になっている。また、第１アーム１５１に対して第２アーム１５２及び第２アーム１５２に対して第３アーム１５３をそれぞれ各ボール１７３、１７４を軸に回転すなわち屈曲可能で、かつ、その屈曲を停止させるとその位置に保持され得る摩擦力がそれぞれボール１７３、１７４と第２アーム１５２を形成する第３アームＡパーツ及び第３アームＢパーツの両端との間に作用するように２つのパーツのネジ部材による締め付けが調節されるようになっている。
このようにボールジョイント７０及び第１アーム１５１、第２アーム１５２、第３アーム１５３を形成しても前述のアーム５と略同様に動作するので、この検眼鏡１００は前述の検眼鏡１と略同じ作用効果を奏する。
【００４３】
前述の実施形態では、連結機構４を装着体２に固定した状態で取り付けられているが、これに限定されず、連結機構４を装着体２に着脱可能に取り付けるようにしてもよい。この場合、取付板８６からアーム５を介して発光部３までを１つの検眼鏡ユニットとして形成し、かつ、この検眼鏡ユニットが、装着体２に着脱可能に取り付けるための取付手段を有することが好ましい。取付手段としては、検眼鏡ユニットすなわち取付板８６を装着体２に着脱可能に取り付けることができれば特に限定されず、例えば、クリップなどの挟持手段、ビスなどのネジ部材による締付手段、弾性力などを利用する係合手段等を用いることができる。これにより、１つの検眼鏡ユニットを、１種類の装着体２の複数に装着することができるとともに、種類の異なる複数の装着体２にも装着することができ、この検眼鏡ユニットは汎用性が高いものとなる。
【符号の説明】
【００４４】
１  検眼鏡
２  装着体
３  発光部
４  連結機構
５  アーム
６  回転支持部
７  自在継手
８  スイッチボックス
１１  頭部
１６  第２ピン
２０  装着フレーム
３０  鏡筒
３１  ＬＥＤ
６５  第１ピン
７１  受け部
７３  ボール
７４  ボール
７５  受け部
７０  ボールジョイント
８０  スイッチ機構
【図１】
0003162586.tif 000003
【図２】
0003162586.tif 000004
【図３】
0003162586.tif 000005
【図４】
0003162586.tif 000006
【図５】
0003162586.tif 000007
【図６】
0003162586.tif 000008
【図７】
0003162586.tif 000009
【図８】
0003162586.tif 000010
【図９】
0003162586.tif 000011
【図１０】
0003162586.tif 000012
【図１１】
0003162586.tif 000013
【図１２】
0003162586.tif 000014
【図１３】
0003162586.tif 000015